(57)【要約】【課題】直径が略８センチメートルの光ディスクを使用しパーソナルコンピュータの外部記憶装置としの光ディスク装置や電子機器の外部記憶装置としての記録再生装置とした持ち運びが容易な小型の外部記憶装置を提供することを目的とする。【解決手段】筐体と、筐体に収納または引き出し自在に設けられたトレイと、トレイに設けられたピックアップモジュールと、ピックアップモジュールに設けられたスピンドルモータと、筐体の前記トレイの開口部方向に前記スピンドルモータから開口を設けた金属製カバーと、金属カバーの開口部を移動するキャリッジと、キャリッジを移動させるフィードモータと、光ピックアップモジュールの回路基板とを有する構成とした。【選択図】図１
2007004837.tif 000002
【特許請求の範囲】
【請求項１】
筐体と、
前記筐体に収納または引き出し自在に設けられたトレイと、
前記トレイに設けられたピックアップモジュールと、
前記ピックアップモジュールに設けられたスピンドルモータと、
前記筐体の開口部と前記スピンドルモータ間を移動するキャリッジと、
前記キャリッジを移動させるフィードモータと、
前記光ピックアップモジュールの回路基板とを有することを特徴とする光ディスク装置。
【請求項２】
前記スピンドルモータのセンターから前記トレイ横幅方向の少なくとも片側の長さは、光ディスクの半径より短くしたことを特徴とする請求項１記載の光ディスク装置。
【請求項３】
前記スピンドルモータの中心から前記トレイの横幅方向の両側方向への長さを異なる長さとし、前記スピンドルモータの中心から前記フィードモータを配置した側の前記トレイ幅方向の長さより、前記スピンドルモータの中心から前記フィードモータを配置しない側の前記トレイ幅方向までの長さを短くしたことを特徴とする請求項１または請求項２記載の光ディスク装置。
【請求項４】
前記ピックアップモジュールの裏面と、前記光ピックアップモジュールの回路基板間に絶縁シート配置したことを特徴とする請求項１から請求項３のいずれか１記載の光ディスク装置。
【請求項５】
光ディスクの直径が略８センチメートルとしたことを特徴とする請求項１から請求項４のいずれか１記載の光ディスク装置。
【請求項６】
光ディスクが多層メディアであることを特徴とする請求項１から請求項５いずれか１記載の光ディスク装置。
【請求項７】
前記筐体の幅を８０〜１００ｍｍとしたことを特徴とする請求項１から請求項６いずれか１記載の光ディスク装置。
【請求項８】
前記筐体の長さを８０〜１３０ｍｍとしたことを特徴とする請求項１から請求項７いずれか１記載の光ディスク装置。
【請求項９】
前記筐体の厚みを１５ｍｍ以下としたことを特徴とする請求項１から請求項８いずれか１記載の光ディスク装置。
【請求項１０】
外部機器との接続インターフェースとして、少なくとも２のインターフェースを備えたことを特徴とする請求項１から請求項９のいずれか１記載の光ディスク装置。
【請求項１１】
ＵＳＢインターフェースを備えたことを特徴とする請求項１から請求項１０のいずれか１記載の光ディスク装置。
【発明の詳細な説明】
【技術分野】
【０００１】
本発明は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの光ディスクのうち特に直径が略８センチメートルである光ディスク装置に関するものである。
【背景技術】
【０００２】
従来、情報記録媒体として円盤型の記録媒体である光ディスク、例えばＣＤ−ＲＯＭやＤＶＤ−ＲＯＭなどの再生記録媒体や、ＣＤ−Ｒ，ＤＶＤ−Ｒなどの追記型記録媒体、またＣＤ−ＲＷ，ＤＶＤ−ＲＷ、ＤＶＤ−ＲＡＭなどの書換え型記録媒体があり、それぞれ直径が略１２センチメートル、直径が略８センチメートルの記録媒体（メディア）があった。
【０００３】
これらの記録媒体の情報を再生または記録媒体に情報を記録する再生装置や記録再生装置としては、直径略１２センチメートルの円盤型記録媒体を使用することが主であり、直径が略８センチメートルの光ディスクを使用するのは、シングル音楽ＣＤとしてや、容量の少ないパーソナルコンピュータの外部記憶装置としてのデータや一部の配布用ソフトウェアもしくは特殊な用途に限られていた。
【０００４】
また、記録媒体の低価格化に伴い音楽ＣＤにおいても従来の直径略８センチメートルであるシングルコンパクトディスクを採用せずに直径が略１２センチメートルのシングルコンパクトディスクを採用して音楽ＣＤとして販売されるようになっている。また、従来の装置では、直径が略１２センチメートルおよび直径が略８センチメートルやその他の名刺サイズの光ディスクに対応する構成になっていた。
【０００５】
しかしながら、従来の直径が略１２センチメートルの光ディスクを記録再生する装置は、円盤型の光ディスクの直径が略１２センチメートルという外形で制限されるため、持ち運びが容易でコンパクトな形状の光ディスク装置としての小型化には制限があった。
【０００６】
ここで、従来の光ディスク装置の構成について述べる。
【０００７】
図８は、従来の光ディスク装置の外観図である。
【０００８】
図８において１は光ディスク装置、２ａは上部筐体部、２ｂは下部筐体部、３はトレイ、４は光ピックアップモジュール、５はレール、６はレール保持部、７はスピンドルモータ、７ａはディスク装着部、８は金属製カバー、８ａは開口、９はキャリッジ、１０はベゼル、１１はイジェクトボタンである。
【０００９】
光ディスク装置１は、筐体２と、筐体２に出没自在に保持されたトレイ３を有している。筐体２は、金属製の上部筐体部２ａ、下部筐体部２ｂを組み合わせて袋状であり、筐体２の開口からトレイ３が出没する構成となっている。トレイ３には、裏面から光ピックアップモジュール４が取り付けられている。トレイ３の両側部には移動自在にレール５が設けられ、このレール５は、トレイ３に一体に設けられたレール保持部６に保持されている。なお、図８では、一方の側部にのみレール５が設けられているが、他方の側面部に同様のレールが設けられていてもよい。上部筐体部２ａと下部筐体部２ｂとは図示していない係止手段と螺旋などを用いて、互いに強固に固定されている。
【００１０】
光ピックアップモジュール４は、光ディスクを回転駆動させるスピンドルモータ７と、スピンドルモータ７から外周にかけて開口８ａを設けた金属製カバー８と、開口８ａから一部が露出したキャリッジ９を少なくとも有している。キャリッジ９は、光ピックアップモジュール４に設けられた複数の案内シャフトに移動自在に保持されており、しかも図示していないフィードモータによって、スピンドルモータ７に近づいたり、離れたりするように移動できる。
【００１１】
１０はトレイ３の前面に設けられたベゼルで、ベゼル１０は筐体２の開口を塞ぐ程度の大きさで構成されている。キャリッジ９には、高出力のレーザーダイオード等の光源，各種光学部材及び光ディスク上に光スポットを構成する対物レンズなどが搭載されている。
【００１２】
キャリッジ９の移動方向は、スピンドルモータ７からベゼル１０側で、かつトレイ３の略対角方向とスピンドルモータ７の間に形成された開口８ａ部を移動するように構成されている。
【００１３】
筐体２の奥部には固定して設けられた回路基板があり、回路基板には信号処理系のＩＣや電源回路などが搭載されている。トレイ３に設けられた図示していない回路基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置１内に電力を供給したり、あるいは外部からの信号を光ディスク装置１内に導いたり、あるいは光ディスク装置１で生成された電気信号を電子機器などに送出する。トレイ３の前端面に設けられたベゼル１０にはイジェクトボタン１１が設けられており、このイジェクトボタン１１を押すことで、筐体２に設けられた係合部とトレイ３に設けられた係合部との係合を解除し、トレイ３は筐体２から光ディスクが着脱できるよう引き出すことができる。
【００１４】
従来の光ディスク装置は、直径が略１２センチメートルの光ディスクでも直径が略８センチメートルの光ディスクでもその他の例えば名刺サイズの光ディスクでも記録再生ができるようにしていた。
【００１５】
直径が略１２センチメートルの光ディスクを用いず、直径が略８センチメートルの光ディスクのみを採用し、小型化した特殊な用途として例えばゲームなどの特殊用途で筐体内における無駄な空間を排除することにより小型化が可能とする再生装置があった（特許文献１）。
【００１６】
また、ビデオカメラにおいて小型化を目的として直径が略８センチメートルセンチのＤＶＤメディアのみを使用する撮影装置が提案されている（特許文献２）。
【特許文献１】特開平１１−２１３６４１号公報
【特許文献２】特開２００５−６３５５９号公報
【発明の開示】
【発明が解決しようとする課題】
【００１７】
（特許文献１）や（特許文献２）の発明では、ゲーム機器や撮影装置としての限定した目的の使用に関しての発明であり、用途が限られている。そこで、本発明においては、直径が略８センチメートルの光ディスクを使用しパーソナルコンピュータの外部記憶装置としの光ディスク装置や電子機器の外部記憶装置としての記録再生装置とした持ち運びが容易な小型の外部記憶装置を提供することを目的とする。
【課題を解決するための手段】
【００１８】
かかる課題を解決するために、本発明の光ディスク装置は、筐体と、筐体に収納または引き出し自在に設けられたトレイと、トレイに設けられたピックアップモジュールと、ピックアップモジュールに設けられたスピンドルモータと、筐体のトレイの開口部方向にスピンドルモータから開口を設けた金属製カバーと、金属カバーの開口部を移動するキャリッジと、キャリッジを移動させるフィードモータと、光ピックアップモジュールの回路基板とを有する構成とする。
【発明の効果】
【００１９】
本発明によれば、キャリッジ内の高出力レーザーダイオード等の光源，各種光学部材及び光ディスク上に光スポットを構成する対物レンズの構成は、光ディスクの直径が略１２センチメートル用でも略８センチメートル用でも同一で構成することができるようになるので、特にキャリッジを小型化する必要がなくなり、直径が略８センチメートルの光ディスクのように小さい外径の光ディスクの記録再生装置とすることができる。また小型で持ち運びが容易になるので胸のポケットに収納し屋外での使用も可能になる。
【発明を実施するための最良の形態】
【００２０】
請求項１記載の発明は、筐体と、筐体に収納または引き出し自在に設けられたトレイと、トレイに設けられたピックアップモジュールと、ピックアップモジュールに設けられたスピンドルモータと、筐体の開口部とスピンドルモータ間を移動するキャリッジと、キャリッジを移動させるフィードモータと、光ピックアップモジュールの回路基板とを有することを特徴とする光ディスク装置であり、特に直径が８センチメートルの光ディスクのように、小さい直径の光ディスクの記録再生装置としての小型化ができるようになる。
【００２１】
請求項２記載の発明は、スピンドルモータのセンターからトレイ横幅方向の少なくとも片側の長さは、光ディスクの半径より短くしたことを特徴とする請求項１記載の光ディスク装置であり、光ディスクの一部が、トレイから露出するようになり光ディスクの取付取外しが容易になる。
【００２２】
請求項３記載の発明は、スピンドルモータの中心からトレイの横幅方向の両側方向への長さを異なる長さとし、スピンドルモータの中心からフィードモータを配置した側のトレイ幅方向の長さより、スピンドルモータの中心からフィードモータを配置しない側のトレイ幅方向までの長さを短くしたことを特徴とする請求項１または請求項２記載の光ディスク装置であり、フィードモータとスピンドルモータの干渉を防ぐことができ、それぞれの発生する熱の影響を避けることができるようになる。
【００２３】
請求項４記載の発明は、ピックアップモジュールの裏面と、光ピックアップモジュールの回路基板間に絶縁シート配置したことを特徴とする請求項１から請求項３のいずれか１記載の光ディスク装置であり、ピックアップモジュールの光源の熱を断熱するとともに電気的に絶縁ができるようになる。
【００２４】
請求項５記載の発明は、光ディスクの直径が８ｃｍとしたことを特徴とする請求項１から請求項４のいずれか１記載の光ディスク装置であり、光ディスクの直径が小さいメディアに対応したので、小型でポータブルの光ディスク装置を提供できるようになる。
【００２５】
請求項６記載の発明は、光ディスクが多層メディアであることを特徴とする請求項１から請求項５いずれか１記載の光ディスク装置であり、小型で高密度の光ディスク装置を提供できるようになり、ｂｌｕ−ｒａｙなどの高密度ディスクを使用できるようになるので、映像データも使用できるようになるので、コンパクトな光ディスク装置を提供できるようになる。
【００２６】
請求項７記載の発明は、筐体の幅を８０〜１００ｍｍとしたことを特徴とする請求項１から請求項６いずれか１記載の光ディスク装置であり、筐体の幅が、ポケットの幅より小さくすることができるので、持ち運びが容易になる。
【００２７】
請求項８記載の発明は、筐体の長さを１００〜１３０ｍｍとしたことを特徴とする請求項１から請求項７いずれか１記載の光ディスク装置であり、筐体の長さが、ポケットの深さより小さくすることができるので、ポケット内に収納することができるようになるので持ち運びが容易になる。
【００２８】
請求項９記載の発明は、筐体の厚みを１５ｍｍ以下としたことを特徴とする請求項１から請求項８いずれか１記載の光ディスク装置であり、従来の光ディスクの筐体の厚みと同等以下にすることができるようになるので、置き換えが容易になる。
【００２９】
請求項１０記載の発明は、外部機器との接続インターフェースとして、少なくとも２のインターフェースを備えたことを特徴とする請求項１から請求項９のいずれか１記載の光ディスク装置であり、パーソナルコンピュータに内蔵するＡＴＡＰＩインターフェースだけでなく、汎用のＵＳＢインターフェースに対応できるようになり、パーソナルコンピュータの外部機器としてでなく、ＵＳＢ端子を備える電子機器に接続できるようになる。
【００３０】
請求項１１記載の発明は、ＵＳＢインターフェースを備えたことを特徴とする請求項１から請求項１０のいずれか１記載の光ディスク装置であり、パーソナルコンピュータの外部記憶装置としたり、デジタルカメラなどの記憶装置などに利用でききるようになるので、動画などの映像を記録できるようになる。
【００３１】
以下本発明の光ディスク装置を実施するための最良の形態の例を図１〜６を参照して説明する。
【００３２】
（実施の形態１）
図１は、本発明の実施の形態に係る光ディスク装置の外観図である。
【００３３】
図１において１０１は光ディスク装置、１０２ａは上部筐体部、１０２ｂは下部筐体部、１０３はトレイ、１０４は光ピックアップモジュール、１０５はレール、１０６はレール保持部、１０７はスピンドルモータ、１０７ａはディスク装着部、１０８は金属製カバー、１０８ａは開口、１０９はキャリッジ、１１０はベゼル、１１１はイジェクトボタンである。
【００３４】
光ディスク装置１０１は、筐体１０２と、筐体１０２に出没自在に保持されたトレイ１０３を有している。筐体１０２は、金属製の上部筐体部１０２ａ、下部筐体部１０２ｂを組み合わせて袋状であり、筐体１０２の開口からトレイ１０３が出没する構成となっている。トレイ１０３には、裏面から光ピックアップモジュール１０４が取り付けられている。トレイ１０３の両側部には移動自在にレール１０５が設けられ、このレール１０５は、トレイ１０３に一体に設けられたレール保持部１０６に保持されている。
【００３５】
なお、図１では、一方の側部にのみレール１０５が設けられているが、他方の側面部に同様のレールが設けられていてもよい。
【００３６】
上部筐体部１０２ａと下部筐体部１０２ｂとは図示していない係止手段と螺旋などを用いて、互いに強固に固定されている。上部筐体部１０２ａには、スピンドルモータ１０７と対向する位置に貫通穴１２０を設けており、上部筐体部１０２ａが外的圧力でたわみが発生してもスピンドルモータ１０７の頭が上部筐体部１０２ａに接触しないようにしている。
【００３７】
光ピックアップモジュール１０４は、光ディスクを回転駆動させるスピンドルモータ１０７と、スピンドルモータ１０７から筐体１０２側方向に開口１０８ａを設けた金属製カバー１０８と、開口１０８ａから一部が露出したキャリッジ１０９を有している。キャリッジ１０９は、光ピックアップモジュール１０４に設けられた複数の案内シャフトに移動自在に保持されており、フィードモータ１２１によって、スピンドルモータ１０７に近づいたり、離れたりするように移動できる。
【００３８】
フィードモータ１２１は、金属製カバー１０８の端部方向に配置し、光ディスクの回転に伴う風で冷却する構成としている。
【００３９】
１１０はトレイ１０３の前面に設けられたベゼルで、ベゼル１１０は筐体１０２の開口を塞ぐ程度の大きさで構成されている。
【００４０】
キャリッジ１０９には、高出力のレーザーダイオード等の光源，各種光学部材及び光ディスク上に光スポットを構成する対物レンズなどが搭載されている。
【００４１】
キャリッジ１０９の移動方向は、スピンドルモータ１０７から筐体１０２側で、かつトレイ１０３の収納および引き出し方向と同方向で、スピンドルモータ１０７の間に形成された開口１０８ａ部を移動するように形成している。
【００４２】
このような構成にすることで、キャリッジ１０９内の高出力のレーザーダイオード等の光源，各種光学部材及び光ディスク上に光スポットを構成する対物レンズの構成は、光ディスクの直径が略１２センチメートル用でも略８センチメートル用でも同一としつつ小型化ができる。
【００４３】
図２は、本発明の実施の形態に係る光ディスク装置の構成図である。
【００４４】
図２に示すように下部筐体部１０２ｂには、外部との接続するコネクタ端子１１５，１１６とコネクタ端子１１５，１１６を有する回路基板１１３とトレイ１０３に設けられた回路基板１１２を電気的に接続するフレキシブルプリント基板１１４を有する。トレイ１０３に設けられたフレキシブルプリント基板１１４は、外部コネクタ１１５，および１１６を介してコンピュータ等の電子機器に設けられた電源／信号ラインと接続される。そして、この外部コネクタ１１５，１１６を介して光ディスク装置１０１内に電力を供給したり、あるいは外部からの信号を光ディスク装置１０１内に導いたり、あるいは光ディスク装置１０１で生成された電気信号を電子機器などに送出する。
【００４５】
外部との接続するコネクタ端子としては、ＡＴＡＰＩ端子１１６のほかＵＳＢ端子１１５を備えることができ、通常のパーソナルコンピュータに内蔵するＡＴＡＰＩインターフェースを利用できるとともに、ＵＳＢ端子１１５を設けるとＵＳＢ端子を備えた電子機器との接続が容易となる。
【００４６】
例えば、ＵＳＢ端子１１５を搭載したデジタルカメラのうち、動画を撮影可能なデジタルカメラに本実施の形態１の光ディスク装置を接続することで、デジタルカメラで撮影した動画を光ディスクに記録することができし、記録したデータをＵＳＢケーブル（図示せず）を介してＵＳＢ端子を有する機器で再生することができる。図２で説明したように、本発明の実施の形態１では、外部コネクタ１１５および１１６は、２つの構成で説明したが、両方あったが色々な機種に対応できて汎用性があるが、安価なシステムを目的とする場合には、一つの外部接続端子でもよい。
【００４７】
図３は、本発明に係るＥ−Ｅ‘断面図であり、図４は、図３におけるＧ部拡大図である。
【００４８】
図３、図４のように、トレイ１０３に設けた光ピックアップモジュール１０４の下方には、絶縁シート２１３を備える。絶縁シート２１３は、厚みが０．０３ｍｍ〜０．１ｍｍで、樹脂製の絶縁シートとしている。さらに絶縁シート２１３の下方側に固定して設けられた回路基板１１２があり、回路基板１１２には信号処理系のＩＣや電源回路などが搭載されている。絶縁シートの厚みが０．０３ｍｍより薄いと、強度が弱くなり、０．１ｍｍより厚くなると光ディスク装置１０１の厚みが厚くなる。絶縁シート２１３は、接着剤で回路基板１１２に固定される。
【００４９】
また、図２〜図４に示すように、キャリッジ１０９は矢印のように移動するが、光ディスク２０１を取り付け部の端２１５よりもキャリッジ２０９の先端が筐体１０２の内部に入りこむ構成としたので、光ディスク２０１をベゼル１１０の近くに装着することができるので、キャリッジ１０９を従来のキャリッジ９に対して小型化しなくても、装置全体での小型化ができるようになる。
【００５０】
図５は本発明の実施の形態に係る平面図である。
【００５１】
図５のように、スピンドルモータ１０７のセンター位置から、トレイ１０３の横幅方向の両側の長さを異なる長さとしており、フィードモータ１２１のある側のトレイ１０３までの長さＷ１より反対側のトレイ１０３の横幅Ｗ２の長さを短くしている。
【００５２】
すなわち、Ｗ１＞Ｗ２としている。このようにすることでフィードモータ１２１とスピンドルモータ１０７の互いの自己発熱による影響を低減することができる。
【００５３】
図６は、本発明に係る光ディスク装置の装置状態を示す図であり、本発明に係る光ディスク２０１をスピンドルモータ１０７へ装着した状態を示す。
【００５４】
光ディスク２０１の直径は略８センチメートルの媒体である。
【００５５】
図６のように、スピンドルモータ１０７のセンター位置から、トレイ１０３の横幅方向すなわち、Ｗ１またはＷ２の少なくとも一方の長さは、光ディスク２０１の半径より短くしており、トレイ１０３から光ディスク２０１の一部が矢印Ｋで示すように露出するように構成しているので、光ディスク２０１の取り外す際に、容易に光ディスク２０１をつかみやすく、光ディスク２０１を光ディスク装置１０１から容易に取出すことができる。
【００５６】
従って、略８センチメートルの光ディスク２０１であるので、Ｗ１またはＷ２を４センチメートルより短くしている。
【００５７】
本発明の実施の形態１では、キャリッジ１０９内に複数の波長の光源を有しており、複数の光源を選択して、異なる光ディスクメディアへの記録再生ができるようになっている。従って、ＣＤやＤＶＤなどの各種の光ディスク２０１に対して記録再生が可能となっている。
【００５８】
また、多層メディアにも対応でき、２層メディアやさらに層数多いメディアにも対応できるのはもちろんである。
【００５９】
トレイ１０３の前端面に設けられたベゼル１１０にはイジェクトボタン１１１が設けられており、このイジェクトボタン１１１を押すことで、筐体１０２に設けられた係合部とトレイ１０３に設けられた係合部との係合を解除し、トレイ１０３は筐体１０２から光ディスクが着脱できるよう引き出すことができる。
【００６０】
図７は、本発明の実施の形態に係る光ディスク装置１０１の斜視図である。
【００６１】
図７において、Ｌ１は筐体１０２の幅、Ｌ２は筐体１０２の奥行き、Ｌ３は筐体１０２の厚みである。
【００６２】
筐体１０２の幅Ｌ１は、キャッシュカード横幅と略等しい大きさとしており、Ｙシャツの胸のポケットなどに収納可能な幅であり、筐体１０２の幅Ｌ１を８０〜１００ｍｍとした。
【００６３】
ここで筐体１０２の幅Ｌ１が８０ｍｍより短いと、直径が略８センチメートルの光ディスクを筐体１０２に収納することが困難になるし、筐体１０２の幅Ｌ１が１００ｍｍより大きいと胸のポケットに収納することが困難になる場合がある。
【００６４】
また、筐体１０２の奥行きＬ２は、Ｙシャツなどの胸のポケットからはみ出さない程度の大きさが好ましく、筐体１０２の奥行きを８０〜１３０ｍｍとしたがいい。筐体１０２の奥行きＬ２が８０ｍｍより短いと、直径が略８センチメートルの光ディスクが筐体１０２内に収めることが難しく、１３０ｍｍより大きいと胸のポケットに収納することが困難になる場合がある。
【００６５】
光ディスクの厚みＬ３は、１５ｍｍ以下が望ましく、従来の光ディスク装置の厚みである１２．７ｍｍや９．５ｍｍさらには７ｍｍなどの厚みとすれば、パーソナルコンピュータと同等の厚みとすることができ、大幅なパーソナルコンピュータの構造の変更をしなくてもパーソナルコンピュータに収納できるようになる。
【００６６】
なお、本実施の形態１では外部コネクタ１１５，１１６を介して光ディスク装置１０１内に電力を供給する構成で説明を行なったが、内部に電池等の電源を備える構成でもよい。内部に電源を備えることで、外部接続機器からの電源供給がなくても動作が可能であり、長時間使用する際に外部機器の電力負担を低減することができる。
【産業上の利用可能性】
【００６７】
本発明は、直径が略８センチメータの光ディスクを使用する小型の光ディスク装置としたので、持ち運びが容易であり、パーソナルコンピュータの外部装置のほか、デジタルカメラの動画の記録や、音楽録音、会議等の音声録音、映像の再生装置として利用可能であり、今後高密度記録可能な光ディスクの情報記録再生装置としてコンパクトでポータブルの記録再生装置として利用可能である。
【図面の簡単な説明】
【００６８】
【図１】本発明の実施の形態に係る光ディスク装置の外観図
【図２】本発明の実施の形態に係る光ディスク装置の構成図
【図３】本発明に係るＥ−Ｅ‘断面図
【図４】図３におけるＧ部拡大図
【図５】本発明の実施の形態に係る平面図
【図６】本発明に係る光ディスクの装着状態を示す図
【図７】本発明の実施の形態に係る光ディスク装置の斜視図
【図８】従来の光ディスク装置の外観図
【符号の説明】
【００６９】
１０１    光ディスク装置
１０２    筐体
１０３    トレイ
１０４    光ピックアップモジュール
１０５    レール
１０６    レール保持部
１０７    スピンドルモータ
１０８    金属製カバー
１０９    キャリッジ
１１０    ベゼル
１１１    イジェクトボタン
１１２    回路基板
１１３    基板
１１４    フレキシブルプリント基板
１１５    ＵＳＢ端子
１１６    ＡＴＡＰＩ端子
１２０    穴
１２１    フィードモータ
２０１    光ディスク
２１３    絶縁シート
【図１】
2007004837.tif 000003
【図２】
2007004837.tif 000004
【図３】
2007004837.tif 000005
【図４】
2007004837.tif 000006
【図５】
2007004837.tif 000007
【図６】
2007004837.tif 000008
【図７】
2007004837.tif 000009
【図８】
2007004837.tif 000010